(57)【特許請求の範囲】
【請求項１】
ケーブルをケースに取り付けるためのケーブルグランドであって、
前記ケースに取り付けられ、テーパ面を有するグランド本体と、
前記グランド本体に締め付けられるキャップと、
前記ケーブルのノイズ低減用のフェライトコアと、
前記フェライトコアを前記キャップに取り付けるためのホルダと、
前記グランド本体と前記ケーブルとの間をシールするためのスリーブと、
前記スリーブに外装されるスリーブコレットとを備え、
前記スリーブは、円筒状であり、外周面に複数のスリットが設けられ、前記複数のスリットが周方向に間隔を隔てて配置され、
前記スリーブコレットは、前記スリーブの一方端部側の端面に沿うように配置される端面部と、前記スリーブの外周面に沿うように配置される外周面部と、前記外周面部に設けられる複数のフィン形状部とを含み、
前記フィン形状部は、前記外周面部から径方向内側に突出するように形成され、前記スリーブのスリットに配置され、
前記キャップが前記グランド本体に締め付けられるときに、前記フェライトコアを介して前記キャップによって押し込まれる前記スリーブおよび前記スリーブコレットの他方端部側が前記テーパ面で径方向内側に変形されるように構成されていることを特徴とするケーブルグランド。
【請求項２】
請求項１に記載のケーブルグランドにおいて、
前記スリーブの他方端部側の端面には、複数の凹部が周方向に間隔を隔てて設けられていることを特徴とするケーブルグランド。
【請求項３】
請求項１または２に記載のケーブルグランドにおいて、
前記スリーブコレットは、前記スリーブの一方端部側の端面に沿うように配置される円環板状部と、前記円環板状部に設けられる複数のアーム部とを含み、前記複数のアーム部が周方向に間隔を隔てて配置され、
前記アーム部は、一対のＬ字状部と、前記一対のＬ字状部の先端部を連結する連結部とを含み、
前記Ｌ字状部は、前記円環板状部から径方向外側に延びる第１板部と、前記第１板部の径方向外側端部から軸方向に延びる第２板部とを有し、
前記連結部は、前記第２板部を連結するように構成され、前記フィン形状部が設けられていることを特徴とするケーブルグランド。
【請求項４】
請求項３に記載のケーブルグランドにおいて、
前記フィン形状部は、板状に形成され、外辺と内辺と一方側水平辺と一方側傾斜辺と他方側水平辺とを有し、
前記外辺および前記内辺は、軸方向に延びるように形成され、
前記外辺は、前記内辺に対して径方向外側に配置され、前記連結部の内面に接続され、
前記一方側水平辺は、径方向に延びるように形成され、前記外辺の一方端部と前記一方側傾斜辺とを繋ぐように構成され、
前記一方側傾斜辺は、径方向に対して傾斜するように形成され、前記内辺の一方端部と前記一方側水平辺とを繋ぐように構成され、
前記他方側水平辺は、径方向に延びるように形成され、前記外辺および前記内辺の他方端部を繋ぐように構成され、
前記他方側水平辺および前記内辺は、前記スリット内で前記スリーブと当接するように構成されていることを特徴とするケーブルグランド。
【請求項５】
請求項１〜４のいずれか１つに記載のケーブルグランドにおいて、
前記スリーブは、本体部と、前記本体部の他方端部に設けられたフランジ部とを含み、
前記スリットは、前記本体部の一方端部側の端面と前記本体部の外周面とを切り欠くように形成されており、軸方向において前記本体部の一方端部から前記フランジ部まで到達するように形成されていることを特徴とするケーブルグランド。
【請求項６】
請求項１〜５のいずれか１つに記載のケーブルグランドにおいて、
前記スリットおよび前記フィン形状部は、奇数個設けられていることを特徴とするケーブルグランド。
【発明の詳細な説明】
【技術分野】
【０００１】
本発明は、ケーブルグランドに関する。
【背景技術】
【０００２】
従来、ケーブルをケースに取り付けるためのケーブルグランドが知られている（たとえば、特許文献１参照）。
【０００３】
特許文献１のケーブルグランドは、ケースに取り付けられるグランド本体と、グランド本体に締め付けられるキャップと、ケーブルのノイズ低減用のフェライトコアと、フェライトコアをキャップに取り付けるためのホルダと、グランド本体とケーブルとの間をシールするためのスリーブとを備えている。このケーブルグランドは、キャップがグランド本体に締め付けられるときに、フェライトコアを介してキャップによって押し込まれるスリーブおよびスリーブコレットの他方端部側がグランド本体のテーパ面で径方向内側に変形されるように構成されている。このため、グランド本体とケーブルとの間の隙間がスリーブによって埋められるので、ケース内への異物（たとえば、水、油および塵埃）の侵入を抑制することができるとともにケーブル自体をしっかりと保持・固定することができる。また、キャップに取り付けられるフェライトコアにより、ケーブルのノイズを低減することが可能である。
【先行技術文献】
【特許文献】
【０００４】
【特許文献１】特許第６５６８２８７号公報
【発明の概要】
【発明が解決しようとする課題】
【０００５】
ここで、ケーブルグランドがケースに設置される場合には、ノイズレベルなどに応じてフェライトコアが選択されるため、そのフェライトコアのサイズによってキャップおよびスリーブのサイズが決定される。このため、フェライトコアの外径が大きくなると、スリーブの外径が大きくなる。そして、スリーブおよびケーブルのサイズの差が大きい場合には、要求されるスリーブの径方向内側への変形量が大きくなることから、キャップを締め付けるのに必要な締付トルクが大きくなるおそれがある。そこで、スリーブの硬さを低減することが考えられるが、スリーブの硬さを低減するとケーブル保持力が低下するという問題点がある。
【０００６】
本発明は、上記の課題を解決するためになされたものであり、本発明の目的は、スリーブを径方向内側に変形しやすくしながら、ケーブル自体をしっかりと保持・固定することが可能なケーブルグランドを提供することである。
【課題を解決するための手段】
【０００７】
本発明によるケーブルグランドは、ケーブルをケースに取り付けるためのものであり、ケースに取り付けられ、テーパ面を有するグランド本体と、グランド本体に締め付けられるキャップと、ケーブルのノイズ低減用のフェライトコアと、フェライトコアをキャップに取り付けるためのホルダと、グランド本体とケーブルとの間をシールするためのスリーブと、スリーブに外装されるスリーブコレットとを備える。スリーブは、円筒状であり、外周面に複数のスリットが設けられ、複数のスリットが周方向に間隔を隔てて配置されている。スリーブコレットは、スリーブの一方端部側の端面に沿うように配置される端面部と、スリーブの外周面に沿うように配置される外周面部と、外周面部に設けられる複数のフィン形状部とを含む。フィン形状部は、外周面部から径方向内側に突出するように形成され、スリーブのスリットに配置されている。ケーブルグランドは、キャップがグランド本体に締め付けられるときに、フェライトコアを介してキャップによって押し込まれるスリーブおよびスリーブコレットの他方端部側がテーパ面で径方向内側に変形されるように構成されている。
【０００８】
このように、スリーブにスリットを形成することにより、スリーブの硬さを変更することなく、スリーブを径方向内側に変形しやすくすることができる。また、スリーブコレットにフィン形状部を設け、フィン形状部をスリットに配置することにより、キャップの締付時にフィン形状部がスリーブを押圧することから、フィン形状部の剛性により、ケーブルを強く締め付けることができるので、ケーブル自体をしっかりと保持・固定することができる。
【０００９】
上記ケーブルグランドにおいて、スリーブの他方端部側の端面には、複数の凹部が周方向に間隔を隔てて設けられていてもよい。
【００１０】
上記ケーブルグランドにおいて、スリーブコレットは、スリーブの一方端部側の端面に沿うように配置される円環板状部と、円環板状部に設けられる複数のアーム部とを含み、複数のアーム部が周方向に間隔を隔てて配置され、アーム部は、一対のＬ字状部と、一対のＬ字状部の先端部を連結する連結部とを含み、Ｌ字状部は、円環板状部から径方向外側に延びる第１板部と、第１板部の径方向外側端部から軸方向に延びる第２板部とを有し、連結部は、第２板部を連結するように構成され、フィン形状部が設けられていてもよい。
【００１１】
この場合において、フィン形状部は、板状に形成され、外辺と内辺と一方側水平辺と一方側傾斜辺と他方側水平辺とを有し、外辺および内辺は、軸方向に延びるように形成され、外辺は、内辺に対して径方向外側に配置され、連結部の内面に接続され、一方側水平辺は、径方向に延びるように形成され、外辺の一方端部と一方側傾斜辺とを繋ぐように構成され、一方側傾斜辺は、径方向に対して傾斜するように形成され、内辺の一方端部と一方側水平辺とを繋ぐように構成され、他方側水平辺は、径方向に延びるように形成され、外辺および内辺の他方端部を繋ぐように構成され、他方側水平辺および内辺は、スリット内でスリーブと当接するように構成されていてもよい。
【００１２】
上記ケーブルグランドにおいて、スリーブは、本体部と、本体部の他方端部に設けられたフランジ部とを含み、スリットは、本体部の一方端部側の端面と本体部の外周面とを切り欠くように形成されており、軸方向において本体部の一方端部からフランジ部まで到達するように形成されていてもよい。
【００１３】
上記ケーブルグランドにおいて、スリットおよびフィン形状部は、奇数個設けられていてもよい。
【発明の効果】
【００１４】
本発明のケーブルグランドによれば、スリーブを径方向内側に変形しやすくしながら、ケーブル自体をしっかりと保持・固定することができる。
【図面の簡単な説明】
【００１５】
【図１】本実施形態によるケーブルグランドを示した斜視図である。
【図２】図１のケーブルグランドを示した分解斜視図である。
【図３】図１のケーブルグランドを示した断面図である。
【図４】図３のケーブルグランドのキャップが締め付けられた状態を示した断面図である。
【図５】図２のケーブルグランドのスリーブを一方側から見た斜視図である。
【図６】図５のスリーブを他方側から見た斜視図である。
【図７】図２のケーブルグランドのスリーブコレットを一方側から見た斜視図である。
【図８】図７のスリーブコレットを他方側から見た斜視図である。
【図９】スリーブコレットが外装されたスリーブを一方側から見た斜視図である。
【図１０】スリーブコレットが外装されたスリーブを他方側から見た斜視図である。
【発明を実施するための形態】
【００１６】
以下、本発明の一実施形態を図面に基づいて説明する。
【００１７】
まず、図１〜図８を参照して、本発明の一実施形態によるケーブルグランド１００の構造について説明する。
【００１８】
ケーブルグランド１００は、図３および図４に示すように、ケーブル１５０をケース１６０に取り付けるために設けられている。このケーブルグランド１００は、ケース１６０の挿通孔１６１に挿通されるケーブル１５０をケース１６０に固定させるように構成されている。たとえば、ケーブル１５０は、図示省略したモータとインバータとを接続する電力ケーブルであり、ケース１６０は、インバータを収容するインバータケースである。
【００１９】
ケーブルグランド１００は、図２に示すように、グランド本体１と、キャップ２と、フェライトコア３と、ホルダ４と、スリーブ５と、スリーブコレット６と、スペーサ７とを備えている。このケーブルグランド１００は、キャップ２がグランド本体１に締め付けられるときに、フェライトコア３を介してキャップ２によって押し込まれるスリーブ５およびスリーブコレット６の他方端部側（Ｘ２方向側）が径方向内側に変形されるように構成されている。
【００２０】
［グランド本体］
グランド本体１は、ケース１６０に取付可能に構成されている。このグランド本体１は、たとえば樹脂製であり、ケーブル１５０が挿通される円筒状の本体部１１と、本体部１１の他方端部（Ｘ２方向側の端部）から外側に張り出すフランジ部１２とを含んでいる。本体部１１の外周面には、キャップ２が螺合される雄ねじ部１３が形成されている。本体部１１の内周面には、図３および図４に示すように、大径部１４ａと縮径部（テーパ面）１４ｂと小径部１４ｃとが連なるように形成されている。大径部１４ａが一方側（Ｘ１方向側）に配置され、小径部１４ｃが他方側（Ｘ２方向側）に配置され、縮径部１４ｂが大径部１４ａおよび小径部１４ｃの間に配置されている。縮径部１４ｂは、フランジ部１２側（Ｘ２方向側）に向けて開口径が徐々に小さくなるように形成されている。
【００２１】
フランジ部１２はケース１６０に取付可能に構成され、フランジ部１２がケース１６０に取り付けられた場合に小径部１４ｃがケース１６０の挿通孔１６１に嵌め合されるようになっている。フランジ部１２にはボルト挿通孔１５が形成されるとともに、ケース１６０にはボルト挿通孔１６２が形成されており、そのボルト挿通孔１５および１６２に挿通されたボルト（図示省略）がナット（図示省略）に締め付けられることにより、フランジ部１２がケース１６０に取り付けられている。
【００２２】
［キャップ］
キャップ２は、グランド本体１に締付可能に構成されている。このキャップ２は、たとえば樹脂製であり、円筒状の側周壁部２１と、側周壁部２１の一方端部（Ｘ１方向側の端部）に形成された頂壁部２２とを含んでいる。頂壁部２２には、ケーブル１５０が挿通される挿通孔２３が形成されている。側周壁部２１の内周面の他方端部側（Ｘ２方向側）には、雄ねじ部１３と螺合する雌ねじ部２４が形成されている。また、キャップ２には、側周壁部２１内における頂壁部２２と雌ねじ部２４との間にフェライトコア３が収容される収容部２５が設けられている。
【００２３】
［フェライトコア］
フェライトコア３は、磁性材料からなり、ケーブル１５０のノイズを低減するために設けられている。このフェライトコア３は、図２に示すように、円筒状であり、ケーブル１５０を挿通可能に構成されている。フェライトコア３は、ホルダ４によりキャップ２に取り付けられ、キャップ２の収容部２５（図３参照）に収容されている。
【００２４】
［ホルダ］
ホルダ４は、フェライトコア３をキャップ２に取り付けるために設けられている。すなわち、ホルダ４は、キャップ２とフェライトコア３との間に介在され、たとえば薄い板状材によって構成されている。このホルダ４は、たとえば樹脂製であり、プレート部４１と取付部４２と保持部４３とを含んでいる。
【００２５】
プレート部４１は、ほぼ円環状に形成され、ケーブル１５０を挿通可能に構成されている。プレート部４１の一方面側（Ｘ１方向側）に取付部４２が配置され、プレート部４１の他方面側（Ｘ２方向側）に保持部４３が配置されている。
【００２６】
取付部４２は、プレート部４１の内縁部に配置され、キャップ２に取り付けられるように構成されている。この取付部４２は、複数のアーム部４２ａと、各アーム部４２ａの先端部に形成された爪部４２ｂとを含んでいる。複数のアーム部４２ａは、周方向に間隔を隔てて配置され、径方向に弾性変形可能に構成されている。爪部４２ｂは、アーム部４２ａから径方向外側に突出するように形成され、キャップ２の頂壁部２２の外面（Ｘ１方向側の面）に係合されるようになっている。このため、取付部４２は、スナップフィット構造であり、キャップ２の頂壁部２２の挿通孔２３（図１参照）に嵌合されるように構成されている。
【００２７】
保持部４３は、プレート部４１の外縁部に配置され、フェライトコア３を保持するように構成されている。この保持部４３は、複数のアーム部４３ａと、各アーム部４３ａの先端部に形成された爪部４３ｂとを含んでいる。複数のアーム部４３ａは、周方向に間隔を隔てて配置され、径方向に弾性変形可能に構成されている。爪部４３ｂは、アーム部４３ａから径方向内側に突出するように形成され、フェライトコア３の他方面（Ｘ２方向側の面）に係合されるようになっている。このため、保持部４３は、スナップフィット構造であり、フェライトコア３を外周面側から保持するように構成されている。
【００２８】
［スリーブ］
スリーブ５は、グランド本体１とケーブル１５０との間をシールするために設けられている。このスリーブ５は、たとえばニトリルゴムなどのゴム製であり、弾性変形可能に構成されている。スリーブ５は、図５および図６に示すように、円筒状の本体部５１と、本体部５１の他方端部（Ｘ２方向側の端部）に設けられたフランジ部５２と、本体部５１に形成された複数のスリット５３とを含んでいる。なお、スリーブ５の外径は、フェライトコア３の外径とほぼ同じになるように設定されている。
【００２９】
本体部５１は、ケーブル１５０を挿通可能に構成されている。フランジ部５２は、スリーブコレット６の厚み分だけ本体部５１から外側に張り出すように形成されている。本体部５１の他方端部側の端面（Ｘ２方向側の端面）には、複数の凹部５４（図６参照）が周方向に間隔を隔てて設けられている。たとえば、１５個の凹部５４が２４度間隔で配置されている。
【００３０】
複数のスリット５３および凹部５４は、スリーブ５が径方向内側に変形しやすくするために設けられている。すなわち、複数のスリット５３および凹部５４は、スリーブ５の剛性を低下させるために設けられている。複数のスリット５３は、本体部５１の外周面に周方向に間隔を隔てて配置されている。たとえば、１５個のスリット５３が２４度間隔で配置されている。なお、スリット５３および凹部５４の配置位置は周方向にずらされており、周方向においてスリット５３および凹部５４が交互に配置されている。
【００３１】
各スリット５３は、本体部５１の一方端部側の端面（Ｘ１方向側の端面）と、本体部５１の外周面とを切り欠くように形成されている。そして、各スリット５３は、軸方向（Ｘ１およびＸ２方向）において本体部５１の一方端部からフランジ部５２まで到達するように形成されている。なお、各スリット５３の深さ（径方向の長さ）は、本体部５１の径方向の長さ（厚み）の半分より少し大きい程度である。
【００３２】
［スリーブコレット］
スリーブコレット６は、スリーブ５に外装され、スリーブ５が圧入される際の変形を規正するように構成されている。スリーブコレット６は、たとえば、樹脂製であり、薄い板状材によって構成されている。スリーブコレット６は、図７および図８に示すように、円環板状部６１と、アーム部６２と、フィン形状部６３とを含んでいる。
【００３３】
円環板状部６１は、スリーブ５の一方端部側の端面に沿うように配置され、ケーブル１５０を挿通可能に構成されている。円環板状部６１には、複数のアーム部６２が周方向に間隔を隔てて設けられている。たとえば、１５個のアーム部６２が２４度間隔で配置されている。
【００３４】
各アーム部６２は、一対のＬ字状部６２１と、一対のＬ字状部６２１の先端部（Ｘ２方向側の端部）を連結する連結部６２２とを含んでいる。各Ｌ字状部６２１は、円環板状部６１から径方向外側に延びる第１板部６２１ａと、第１板部６２１ａの径方向外側端部から軸方向（Ｘ２方向）に延びる第２板部６２１ｂとを有している。すなわち、各Ｌ字状部６２１は、第１板部６２１ａおよび第２板部６２１ｂの間に直角に折り曲げられた屈曲部を有する。各アーム部６２の一対の第１板部６２１ａは、周方向に隣接するように配置され、円環板状部６１によって基端部が連結されている。第２板部６２１ｂは、径方向に弾性変形可能に構成されている。連結部６２２は、周方向に延びるように形成され、一対の第２板部６２１ｂの先端部を連結するように構成されている。第１板部６２１ａは、スリーブ５の一方端部側の端面に沿うように配置され、第２板部６２１ｂおよび連結部６２２は、スリーブ５の外周面に沿うように配置されている。
【００３５】
フィン形状部６３は、図８に示すように、連結部６２２の内面から径方向内側に突出するように形成され、スリーブ５のスリット５３に配置されている。このフィン形状部６３は、スリーブ５が圧入される際にスリーブ５を径方向内側に押圧するために設けられている。フィン形状部６３は、各アーム部６２に設けられていることから、周方向に間隔を隔てて配置されている。たとえば、１５個のフィン形状部６３が２４度間隔で配置されている。
【００３６】
また、フィン形状部６３は、ほぼ五角形の板状に形成され、周方向と直交するように配置されている。具体的には、フィン形状部６３は、外辺６３ａと、内辺６３ｂと、一方側水平辺６３ｃと、一方側傾斜辺６３ｄと、他方側水平辺６３ｅとを有する。外辺６３ａおよび内辺６３ｂは、軸方向に延びるように形成され、平行に配置されている。外辺６３ａは、内辺６３ｂに対して径方向外側に配置され、連結部６２２の内面に接続されている。内辺６３ｂは、外辺６３ａに比べて長い。一方側水平辺６３ｃおよび他方側水平辺６３ｅは、径方向に延びるように形成され、平行に配置されている。一方側水平辺６３ｃは、一方側傾斜辺６３ｄに対して径方向外側に配置され、外辺６３ａの一方端部（Ｘ１方向側の端部）と一方側傾斜辺６３ｄとを繋ぐように構成されている。一方側傾斜辺６３ｄは、径方向に対して傾斜するように形成され、内辺６３ｂの一方端部（Ｘ１方向側の端部）と一方側水平辺６３ｃとを繋ぐように構成されている。他方側水平辺６３ｅは、外辺６３ａおよび内辺６３ｂの他方端部（Ｘ２方向側の端部）を繋ぐように構成されている。他方側水平辺６３ｅと内辺６３ｂとの接続部分（角部）、および、内辺６３ｂと一方側傾斜辺６３ｄとの接続部分は、湾曲されている。そして、他方側水平辺６３ｅおよび内辺６３ｂは、図３に示すように、スリット５３内でスリーブ５と当接するように構成されている。
【００３７】
なお、円環板状部６１および第１板部６２１ａによりスリーブコレット６の端面部が構成され、第２板部６２１ｂおよび連結部６２２によりスリーブコレット６の外周面部が構成されている。
【００３８】
［スペーサ］
スペーサ７は、円環板状であり、ケーブル１５０を挿通可能に構成されている。このスペーサ７は、フェライトコア３とスリーブコレット６との間に介在され、ホルダ４のアーム部４３ａとスリーブコレット６のアーム部６２とが干渉するのを回避するために設けられている。スペーサ７は、キャップ２が締め付けられ、フェライトコア３が押し込まれる場合に、フェライトコア３からの荷重をスリーブコレット６に伝達する機能を有する。
【００３９】
−ケーブルグランドの組付方法−
次に、図１〜図１０を参照して、本実施形態によるケーブルグランド１００の組付方法について説明する。
【００４０】
まず、グランド本体１（図３参照）がケース１６０（図３参照）に取り付けられる。具体的には、グランド本体１のボルト挿通孔１５およびケース１６０のボルト挿通孔１６２に挿通されたボルト（図示省略）がナット（図示省略）に締め付けられることにより、グランド本体１のフランジ部１２がケース１６０に取り付けられる。このとき、グランド本体１の小径部１４ｃがケース１６０の挿通孔１６１に嵌合され、グランド本体１の内部空間が挿通孔１６１を介してケース１６０の内部に連通される。
【００４１】
また、ホルダ４（図２参照）の保持部４３によってフェライトコア３（図２参照）を保持させる。具体的には、保持部４３の爪部４３ｂがフェライトコア３の他方面（Ｘ２方向側の面）に係合されることにより、フェライトコア３がホルダ４に取り付けられる。このとき、フェライトコア３が軸方向においてプレート部４１および爪部４３ｂによって挟持され、フェライトコア３の外周面がアーム部４３ａによって取り囲まれている。
【００４２】
次に、フェライトコア３を保持するホルダ４が取付部４２によってキャップ２（図２参照）に取り付けられる。具体的には、取付部４２の爪部４２ｂがキャップ２の頂壁部２２の外面（Ｘ１方向側の面）に係合されることにより、ホルダ４がキャップ２に取り付けられる。このとき、プレート部４１および爪部４２ｂの間に頂壁部２２が挟み込まれ、挿通孔２３に挿通されるアーム部４２ａが挿通孔２３の内周面に沿うように配置されている。
【００４３】
このようにして、ホルダ４によりフェライトコア３がキャップ２に取り付けられている。キャップ２に取り付けられたフェライトコア３は、キャップ２の収容部２５（図３参照）に収容されている。
【００４４】
また、図９および図１０に示すように、スリーブコレット６がスリーブ５に外装される。このとき、スリーブコレット６のフィン形状部６３（図７および図８参照）が、スリーブ５のスリット５３（図５および図６参照）に挿入されている。円環板状部６１およびアーム部６２の第１板部６２１ａが、スリーブ５の一方端部側の端面（Ｘ１方向側の端面）に沿うように配置され、アーム部６２の第２板部６２１ｂおよび連結部６２２が、スリーブ５の外周面に沿うように配置されている。スリーブコレット６のアーム部６２の先端部（Ｘ２方向側の端部）は、スリーブ５のフランジ部５２に当接されている。また、フィン形状部６３の他方側水平辺６３ｅおよび内辺６３ｂ（図８参照）は、図３に示すように、スリット５３内でスリーブ５に当接されている。
【００４５】
そして、ケース１６０の挿通孔１６１およびグランド本体１の本体部１１にケーブル１５０が挿通され、そのケーブル１５０にスリーブ５、スペーサ７およびキャップ２が挿通される。すなわち、ケーブル１５０は、キャップ２の挿通孔２３、ホルダ４、フェライトコア３、スペーサ７、スリーブコレット６、スリーブ５およびグランド本体１に挿通されている。
【００４６】
次に、スリーブ５がグランド本体１の本体部１１に嵌め合された状態で、キャップ２の雌ねじ部２４がグランド本体１の雄ねじ部１３に締め付けられる。このとき、図４に示すように、キャップ２により、フェライトコア３およびスペーサ７を介してスリーブ５およびスリーブコレット６がフランジ部１２側（Ｘ２方向側）に押圧される。このため、グランド本体１の縮径部１４ｂとケーブル１５０との間にスリーブ５およびスリーブコレット６が押し込まれ、スリーブ５およびスリーブコレット６の他方端部側（Ｘ２方向側）が弾性変形して圧入される。すなわち、スリーブ５およびスリーブコレット６が押し込まれることにより、スリーブ５およびスリーブコレット６の他方端部側が縮径部１４ｂで径方向内側に変形される。
【００４７】
したがって、スリーブ５により、グランド本体１とケーブル１５０との間の隙間が埋められるので、ケース１６０内への異物（たとえば、水、油および塵埃）の侵入が抑制される。なお、キャップ２がグランド本体１に締め付けられるときには、たとえば、キャップ２の頂壁部２２がホルダ４のプレート部４１に対して摺動される。
【００４８】
−効果−
本実施形態では、上記のように、スリーブ５にスリット５３および凹部５４を形成することによって、スリーブ５の硬さを変更することなく、スリーブ５を径方向内側に変形しやすくすることができる。また、スリーブコレット６にフィン形状部６３を設け、フィン形状部６３をスリット５３に配置することによって、キャップ２の締付時にフィン形状部６３がスリーブ５を押圧することから、フィン形状部６３の剛性により、ケーブル１５０を強く締め付けることができるので、ケーブル自体をしっかりと保持・固定することができる。したがって、ケーブルグランド１００では、スリーブ５およびケーブル１５０のサイズの差が大きい場合にも対応可能である。つまり、ケーブルグランド１００では、小径のケーブル１５０にも対応することができるので、対応可能なケーブル１５０のサイズの範囲を広げることができる。
【００４９】
また、本実施形態では、アーム部６２が一対のＬ字状部６２１とそのＬ字状部６２１を連結する連結部６２２とを含み、連結部６２２に設けられるフィン形状部６３をほぼ五角形にすることによって、アーム部６２の内面にフィン形状部６３を形成しながら、キャップ２の締付時にアーム部６２の他方端部側を径方向内側に変形させることができる。
【００５０】
また、本実施形態では、スリット５３およびフィン形状部６３を奇数個設けることによって、周方向に等間隔に配置されるスリット５３およびフィン形状部６３が、軸中心を挟んで対向する位置に配置されないようにすることができる。すなわち、軸中心と直交する直線上に、二組のスリット５３およびフィン形状部６３が配置されないようになっている。
【００５１】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００５２】
たとえば、上記実施形態では、モータとインバータとを接続する電力ケーブルであるケーブル１５０を固定するケーブルグランド１００に本発明を適用する例を示したが、これに限らず、モータとインバータとを接続する電力ケーブル以外のケーブルを固定するケーブルグランドに本発明を適用してもよい。
【００５３】
また、上記実施形態では、インバータケースであるケース１６０にケーブル１５０を固定するケーブルグランド１００に本発明を適用する例を示したが、これに限らず、インバータケース以外のケースにケーブルを固定するケーブルグランドに本発明を適用してもよい。
【００５４】
また、上記実施形態では、スリット５３、凹部５４およびフィン形状部６３が１５個設けられる例を示したが、スリット、凹部およびフィン形状部の数はこれに限定されない。凹部はスリーブ剛性により有無や個数の変更がある。たとえば、スリットおよびフィン形状部が偶数個設けられていてもよい。
【産業上の利用可能性】
【００５５】
本発明は、ケーブルをケースに取り付けるためのケーブルグランドに利用可能である。
【符号の説明】
【００５６】
１        グランド本体
２        キャップ
３        フェライトコア
４        ホルダ
５        スリーブ
６        スリーブコレット
７        スペーサ
１１      本体部
１２      フランジ部
１３      雄ねじ部
１４ａ    大径部
１４ｂ    縮径部（テーパ面）
１４ｃ    小径部
１５      ボルト挿通孔
２１      側周壁部
２２      頂壁部
２３      挿通孔
２４      雌ねじ部
２５      収容部
４１      プレート部
４２      取付部
４２ａ    アーム部
４２ｂ    爪部
４３      保持部
４３ａ    アーム部
４３ｂ    爪部
５１      本体部
５２      フランジ部
５３      スリット
５４      凹部
６１      円環板状部
６２      アーム部
６３      フィン形状部
６３ａ    外辺
６３ｂ    内辺
６３ｃ    一方側水平辺
６３ｄ    一方側傾斜辺
６３ｅ    他方側水平辺
１００    ケーブルグランド
１５０    ケーブル
１６０    ケース
１６１    挿通孔
１６２    ボルト挿通孔
６２１    Ｌ字状部
６２１ａ  第１板部
６２１ｂ  第２板部
６２２    連結部
【要約】
【課題】スリーブを径方向内側に変形しやすくしながら、ケーブル自体をしっかりと保持・固定することが可能なケーブルグランドを提供する。
【解決手段】ケーブルグランド１００は、グランド本体１と、グランド本体１に締め付けられるキャップ２と、ケーブルのノイズ低減用のフェライトコア３と、フェライトコア３をキャップ２に取り付けるためのホルダ４と、グランド本体１とケーブルとの間をシールするためのスリーブ５と、スリーブ５に外装されるスリーブコレット６とを備える。スリーブ５は、円筒状であり、外周面に複数のスリット５３が設けられ、複数のスリット５３が周方向に間隔を隔てて配置されている。スリーブコレット６は、円環板状部６１と、アーム部６２と、フィン形状部６３とを含む。フィン形状部６３は、アーム部６２から径方向内側に突出するように形成され、スリーブ５のスリット５３に配置されている。
【選択図】図２【図１】
0006831899.tif 000002
【図２】
0006831899.tif 000003
【図３】
0006831899.tif 000004
【図４】
0006831899.tif 000005
【図５】
0006831899.tif 000006
【図６】
0006831899.tif 000007
【図７】
0006831899.tif 000008
【図８】
0006831899.tif 000009
【図９】
0006831899.tif 000010
【図１０】
0006831899.tif 000011